(57)【要約】【課題】ユーザが出力の対象から除く色として意図していた可能性の高い色を出力対象外とする。【解決手段】取得部２１は、ドロップアウトカラーとしてユーザにより指定された色名を取得する。特定部２２は、原稿画像データにおいてドロップアウトカラーとしてユーザにより指定された色を含む初期色相範囲、又は、当該初期色相範囲に隣接する隣接色相範囲を、出力対象外となる色相の範囲として特定する。特定部２２は、原稿画像データにおいてドロップアウトカラーとしてユーザにより指定された色と画像における色の出現頻度とを用いて、出力対象外となる色相の範囲を特定する。【選択図】図３
2020053735.tif 000002
【特許請求の範囲】
【請求項１】
原稿から画像データを生成する際に出力の対象から除く色の指定をユーザから受け付ける受付手段と、
画像において、前記指定された色を含む初期色相範囲に属する色の出現頻度と当該初期色相範囲に隣接する隣接色相範囲に属する色の出現頻度との比率に応じて、出力対象外となる色相の範囲を、前記初期色相範囲のみとするか、又は前記初期色相範囲及び前記隣接色相範囲の両方とするかを特定する特定手段と、
特定された色相の範囲に属する色を含まない画像データを生成する生成手段と
を備えることを特徴とする画像処理装置。
【請求項２】
前記特定手段は、前記初期色相範囲及び前記隣接色相範囲に属する有彩色の画素に対して出現頻度を計算する
を備えることを特徴とする請求項１記載の画像処理装置。
【請求項３】
前記特定手段は、前記初期色相範囲に属する色の出現頻度が第１の閾値を超える場合は、当該初期色相範囲を出力対象外となる色相の範囲として特定する
を備えることを特徴とする請求項１又は２に記載の画像処理装置。
【請求項４】
前記特定手段は、前記隣接色相範囲に属する色の出願頻度が第２の閾値を超える場合は、当該隣接色相範囲も出力対象外となる色相の範囲として特定する
を備えることを特徴とする請求項３記載の画像処理装置。
【請求項５】
前記第１の閾値は前記第２の閾値よりも小さい値である
ことを特徴とする請求項４記載の画像処理装置。
【請求項６】
前記特定手段は、前記初期色相範囲に隣接する第１の隣接色相範囲に属する色が前記画像において出現する頻度が前記第２の閾値を超え、且つ、前記初期色相範囲に対し、前記第１の隣接色相範囲とは逆方向で隣接する第２の隣接色相範囲に属する色が前記画像において出現する頻度が前記第２の閾値を超える場合には、ユーザに対して出力対象外となる色の再設定を促す
ことを特徴とする請求項４又は５記載の画像処理装置。
【請求項７】
前記特定手段は、前記初期色相範囲の広さに応じて、前記第１の隣接色相範囲の広さ又は前記第２の隣接色相範囲の広さを定める
ことを特徴とする請求項６記載の画像処理装置。
【請求項８】
原稿から画像を読み取る画像読取手段と、
前記画像読取手段により読み取られた結果に応じて画像データを生成する請求項１〜７のいずれか１項に記載の画像処理装置と、
前記画像処理装置によって生成された画像データを出力する出力手段と
を備えることを特徴とする画像読取装置。
【請求項９】
コンピュータを、
原稿から画像データを生成する際に出力の対象から除く色の指定をユーザから受け付ける受付手段と、
前記指定された色を含む初期色相範囲に属する色の出現頻度と、当該初期色相範囲に隣接する隣接色相範囲に属する色の出現頻度との比率に応じて、出力対象外となる色相の範囲を、前記初期色相範囲のみとするか、又は前記初期色相範囲及び前記隣接色相範囲の両方とするかをとして特定する特定手段と、
特定された色相の範囲に属する色を含まない画像データを生成する生成手段と
として機能させるためのプログラム。
【発明の詳細な説明】
【技術分野】
【０００１】
本発明は画像処理装置、画像読取装置及びプログラムに関する。
【背景技術】
【０００２】
スキャナ等の画像読取装置には、カラー原稿を読み取る場合に、ユーザにより指定された特定の色を、読み取った画像データ上において出力しない機能を備えたものがある。この機能は例えばドロップアウト機能と呼ばれている。例えば特許文献１には、原稿に濃度むらや汚れがある場合に、色相にマージンを持たせてドロップアウトカラーとして指定することが開示されている。
【先行技術文献】
【特許文献】
【０００３】
【特許文献１】特開２００６−１６５６８５号公報
【発明の概要】
【発明が解決しようとする課題】
【０００４】
本発明は、ユーザが出力の対象から除く色として意図していた可能性の高い色を出力対象外とすることを目的とする。
【課題を解決するための手段】
【０００５】
請求項１に係る画像処理装置は、原稿から画像データを生成する際に出力の対象から除く色の指定をユーザから受け付ける受付手段と、画像において、前記指定された色を含む初期色相範囲に属する色の出現頻度と当該初期色相範囲に隣接する隣接色相範囲に属する色の出現頻度との比率に応じて、出力対象外となる色相の範囲を、前記初期色相範囲のみとするか、又は前記初期色相範囲及び前記隣接色相範囲の両方とするかを特定する特定手段と、特定された色相の範囲に属する色を含まない画像データを生成する生成手段とを備えることを特徴とする。
【０００６】
請求項２に係る画像処理装置は、請求項１記載の構成において、前記特定手段は、前記初期色相範囲及び前記隣接色相範囲に属する有彩色の画素に対して出現頻度を計算する。
【０００７】
請求項３に係る画像処理装置は、請求項１又は２記載の構成において、前記特定手段は、前記初期色相範囲に属する色の出現頻度が第１の閾値を超える場合は、当該初期色相範囲を出力対象外となる色相の範囲として特定する。
【０００８】
請求項４に係る画像処理装置は、請求項３記載の構成において、前記特定手段は、前記隣接色相範囲に属する色の出願頻度が第２の閾値を超える場合は、当該隣接色相範囲も出力対象外となる色相の範囲として特定する。
【０００９】
請求項５に係る画像処理装置は、請求項４記載の構成において、前記第１の閾値は前記第２の閾値よりも小さい値である。
【００１０】
請求項６に係る画像処理装置は、請求項４又は５記載の構成において、前記特定手段は、前記初期色相範囲に隣接する第１の隣接色相範囲に属する色が前記画像において出現する頻度が前記第２の閾値を超え、且つ、前記初期色相範囲に対し、前記第１の隣接色相範囲とは逆方向で隣接する第２の隣接色相範囲に属する色が前記画像において出現する頻度が前記第２の閾値を超える場合には、ユーザに対して出力対象外となる色の再設定を促す。
【００１１】
請求項７に係る画像処理装置は、請求項６記載の構成において、前記特定手段は、前記初期色相範囲の広さに応じて、前記第１の隣接色相範囲の広さ又は前記第２の隣接色相範囲の広さを定める。
【００１２】
請求項８に係る画像読取装置は、請求項１〜７のいずれか１項に記載の構成において、原稿から画像を読み取る画像読取手段と、前記画像読取手段により読み取られた結果に応じて画像データを生成する請求項１〜７のいずれか１項に記載の画像処理装置と、前記画像処理装置によって生成された画像データを出力する出力手段とを備えることを特徴とする。
【００１３】
請求項９に係るプログラムは、コンピュータを、原稿から画像データを生成する際に出力の対象から除く色の指定をユーザから受け付ける受付手段と、前記指定された色を含む初期色相範囲に属する色の出現頻度と、当該初期色相範囲に隣接する隣接色相範囲に属する色の出現頻度との比率に応じて、出力対象外となる色相の範囲を、前記初期色相範囲のみとするか、又は前記初期色相範囲及び前記隣接色相範囲の両方とするかをとして特定する特定手段と、特定された色相の範囲に属する色を含まない画像データを生成する生成手段として機能させる。
【発明の効果】
【００１４】
請求項１，８，９に記載の発明によれば、ユーザが出力の対象から除く色として意図していた可能性の高い色を出力対象外とする。
請求項２に記載の発明によれば、無彩色を除外して、ユーザが出力対象外として意図していた色を特定する。
請求項３に記載の発明によれば、ユーザが指定した色が一定以上存在する場合にその色を出力対象外とする。
請求項４に記載の発明によれば、ユーザが指定した色に類似する色が一定以上存在する場合にその色を出力対象外とする。
請求項５に記載の発明によれば、ユーザが指定した色をユーザが指定した色に類似する色よりも優先して出力対象外とする。
請求項６に記載の発明によれば、ユーザが指定した色と、ユーザが指定した色に類似する色とを閾値との比較に応じて出力対象外とする。
請求項７に記載の発明によれば、色に応じて類似する範囲が異なる場合であっても、ユーザが意図していた色を出力しないようにする。
【図面の簡単な説明】
【００１５】
【図１】本発明の実施形態に係る画像形成システムの構成を示すブロック図である。
【図２】プリンタのハードウェア構成を示すブロック図である。
【図３】画像形成システムの機能構成を示すブロック図である。
【図４】プリンタの基本動作を示すフローチャートである。
【図５】初期色相範囲及び隣接色相範囲を説明する図である。
【図６】プリンタが出力対象外の色相範囲を特定する動作を示すフローチャートである。
【図７】初期色相範囲を及び隣接色相範囲を説明する図である。
【発明を実施するための形態】
【００１６】
＜構成＞
以下、本発明の実施形態について説明する。図１は、本発明の実施形態に係る画像形成システム１の構成を示すブロック図である。この画像形成システム１は、画像読取及び画像形成を行う複合機と呼ばれるプリンタ２０と、ユーザが操作するパーソナルコンピュータ（ＰＣ）１０とを備える。プリンタ２０とＰＣ１０とは互いに通信可能となるように、ネットワーク２を介して接続される。
【００１７】
図２は、本発明の画像読取装置の一例であるプリンタ２０のハードウェア構成を示すブロック図である。プリンタ２０は、制御部２０１と、記憶部２０２と、画像読取部２０３と、画像処理部２０４と、画像形成部２０５と、通信部２０６と、操作部２０７とを備えている。制御部２０１は、ＣＰＵ（Central Processing Unit）などの演算処理装置と、ＲＯＭ（Read Only Memory）及びＲＡＭ（Random Access Memory）などの記憶装置とを備えている。ＲＯＭには、ＣＰＵによって実行されるプログラムが記憶されている。ＣＰＵは、ＲＡＭをワークエリアとして用いてＲＯＭや記憶部２０２に記憶されたプログラムを実行することによって、プリンタ２０の各部の動作を制御する。記憶部２０２は、例えばハードディスクなどの記憶手段であり、制御部２０１が用いるデータ群やプログラム群を記憶している。
【００１８】
画像読取部２０３は、例えば白色光の光源及びカラーセンサから構成されており、光源から白色光を原稿に照射し、原稿からの反射光をカラーセンサで受光し、受光した反射光を電気信号に光電変換することで、ＲＧＢの各成分からなる画像データを出力する画像読取動作を行う。記憶部２０２は、例えば画像読取部２０３により原稿から読み取られた画像を示す画像データ（以下、原稿画像データという）を記憶する。
【００１９】
画像処理部２０４は、本発明の画像処理装置の一例である。画像処理部２０４は、画像読取部２０３により原稿から読み取られて記憶部２０２に記憶された原稿画像データから、ユーザが意図する色を出力対象外として特定し、その色を含まない画像データ（以下、出力画像データという）を生成する。このように、ユーザが意図する色を含まない出力画像データを生成することを「ドロップアウト」と呼び、ユーザが出力対象外として指定した色のことを「ドロップアウトカラー」という。
【００２０】
画像形成部２０５は、電子写真方式に従い、画像データに応じた画像を媒体に形成する。通信部２０６は通信回路を備えており、ネットワーク２を介してデータ通信を行う。操作部２０７はキーやタッチスクリーンからなり、ユーザの操作を受け付ける。
【００２１】
ＰＣ１０は、ハードウェアとしてはプリンタ２０と同様に、制御部、記憶部、通信部及び操作部を有する。
【００２２】
図３は、画像形成システム１の機能構成を示すブロック図である。プリンタ２０及びＰＣ１０において、それぞれの制御部が記憶部等に記憶されているプログラムを実行することにより、図３に示す各機能が実現される。
【００２３】
ＰＣ１０において、受付部１１は、原稿を読み取った結果において出力対象外とする色（ドロップアウトカラー）を指定するユーザの操作を受け付ける。この操作は、例えばＰＣ１０に表示されたプルダウンメニューやラジオボタン等のＧＵＩ（Graphical User Interface）をユーザが用いて、ドロップアウトカラーの識別情報である色名（例えば青、黄、赤、緑、オレンジ、ピンク、紫といった代表的な色の名称）を選択する操作である。
【００２４】
プリンタ２０において、取得部２１は、ドロップアウトカラーとしてユーザにより指定された色名をネットワーク２経由で取得する。
【００２５】
特定部２２は、原稿画像データにおいてドロップアウトカラーとしてユーザにより指定された色を含む初期色相範囲、又は、当該初期色相範囲に隣接する隣接色相範囲のうち少なくともいずれか１の色相範囲を、出力対象外となる色相の範囲として特定する。ここで、特定部２２は、原稿画像データにおいてドロップアウトカラーとしてユーザにより指定された色と原稿画像データにおける色の出現頻度とを用いて、出力対象外となる色相の範囲を特定する。つまり、特定部２２は、指定された色を含む初期色相範囲に属する色の出現頻度と当該初期色相範囲に隣接する隣接色相範囲に属する色の出現頻度との比率に応じて、出力対象外となる色相の範囲を、初期色相範囲のみとするか、又は初期色相範囲及び隣接色相範囲の両方とするかを特定する。
【００２６】
その具体的な特定の方法は、後述する動作の説明において述べるが、ここでは図５に示す色相環Ｃを用いて、上述した初期色相範囲及び隣接色相範囲について説明しておく。色相環Ｃは、色相の総体を順序立てて円環にして並べたものである。色相環Ｃにおいて色相を角度で表現すると、全色相は０度から３６０度であり、例えば０度が赤、１２０度が緑、２４０度が青に相当する。例えばシアンの文字を含む原稿において、ユーザがシアンの文字を出力対象外にしようと意図した場合、色名と色のイメージが完全に一致せず、ドロップアウトカラーを誤って指定してしまう場合がある。例えば、シアンをドロップアウトカラーに指定せずに、シアンに類似する青という色名で誤ってドロップアウトカラーを指定してしまうようなケースである。
【００２７】
この場合において、ユーザによって実際に指定された色（ここでは青）を含む所定の色相の範囲を、初期色相範囲という。より具体的には、初期色相範囲は、色相環Ｃにおいてユーザによって実際に指定された色を中心とした所定の色相角度の範囲のことであり、例えばユーザによって実際に指定された色が青の場合には、色彩的に一般に青と認識し得る範囲である。図５では初期色相範囲は例えば色相範囲Ｈである。そして、色相環Ｃにおいて、この初期色相範囲Ｈに対して時計回り方向に隣接する色相範囲を隣接色相範囲ＨＬ（第１の隣接色相範囲）とし、初期色相範囲Ｈに対して反時計回り方向に隣接する色相範囲を隣接色相範囲ＨＲ（第２の隣接色相範囲）とする。例えばユーザによって実際に指定された青が初期色相範囲Ｈに含まれる場合、シアンは隣接色相範囲ＨＬに含まれることになる。なお、ユーザが指定する色名として予め想定される色名（例えば青、黄、赤、緑、オレンジ、ピンク、紫）ごとに、初期色相範囲Ｈ、隣接色相範囲ＨＲ及び隣接色相範囲ＨＬの位置（色相環Ｃにおける色相角度）及び広さ（色相環Ｃにおける広がり乃至色相角度の範囲）が予め決まっているものとする。
【００２８】
生成部２３は、原稿画像データから特定部２２により特定された出力対象外の色を含まない出力画像データを生成する。具体的には、生成部２３は、特定部２２により特定された色相の範囲に含まれる色の画素に対して、その画素のＲＧＢ各成分を特定の値（例えば０xff等）に変換することで、出力対象外の色を含まない出力画像データを生成する。
【００２９】
出力部２４は、生成された出力画像データを、例えば画像形成部２０５に出力したり、通信部２０６経由でＰＣ１０に出力したりする。
【００３０】
＜動作＞
図４はプリンタ２０の基本動作を示すフローチャートである。ＰＣ１０において、受付部１１がドロップアウトカラーを指定するユーザの操作を受け付けると、プリンタ２０において、取得部２１がそのドロップアウトカラーの色名を取得する（ステップＳ１１）。
【００３１】
次に、特定部２２は、上記色名に対応して予め決められた初期色相範囲Ｈを特定する（ステップＳ１２）。例えばドロップアウトカラーの色名が「青」の場合、色相環Ｃにおいて色相角度２４０度±α度の範囲が初期色相範囲Ｈとなる。
【００３２】
次に、特定部２２は、上記色名に対応して予め決められた隣接色相範囲ＨＬ，ＨＲを特定する（ステップＳ１３）。例えばドロップアウトカラーの色名が「青」の場合、色相環Ｃにおいて、色相角度（２４０度−α度）〜（２４０度−α度−β１度）が隣接色相範囲ＨＬとなり、色相角度（２４０度＋α度）〜（２４０度＋α度＋β２度）が隣接色相範囲ＨＲとなる。なお、β１＝β２であってもよいし、β１≠β２であってもよい。
【００３３】
次に、特定部２２は、原稿画像データに含まれる各画素の色別のヒストグラム（出現頻度）を計算する（ステップＳ１４）。具体的には、特定部２２は、原稿画像データに含まれる全画素をＬＡＢ変換し、各画素について彩度と色相角度を求める。そして、或る画素の彩度が、有彩色であることを意味する値として予め決められた閾値以上の場合、その画素の色相角度が初期色相範囲Ｈ、隣接色相範囲ＨＬ又は隣接色相範囲ＨＲのいずれかに属するか否かを判断する。特定部２２は、これを全画素について行い、初期色相範囲Ｈ、隣接色相範囲ＨＬ及び隣接色相範囲ＨＲごとに、各色相範囲に属する画素の数をカウントする。つまり、初期色相範囲Ｈ、隣接色相範囲ＨＬ又は隣接色相範囲ＨＲのいずれにも含まれない画素はカウントしない。そして、特定部２２は、初期色相範囲Ｈ、隣接色相範囲ＨＬ及び隣接色相範囲ＨＲ間における画素数の比率を求める。これにより、隣接色相範囲ＨＬに属する画素数：初期色相範囲Ｈに属する画素数：隣接色相範囲ＨＲに属する画素数が、例えば、７％：８０％：１３％というように求められることになる。
【００３４】
次に、特定部２２は、原稿画像データにおいて出力対象外とする色相の範囲を特定する（ステップＳ１５）。この特定処理は、具体的には図６に示すような処理となる。まず、特定部２２は、初期色相範囲Ｈに属する画素数の比率が第１の閾値Ｔｈ１を超えるか否かを判断する（ステップＳ１５１）。ここで、第１の閾値Ｔｈ１は、ユーザがドロップアウトカラーとして実際に指定した色が原稿画像データ中に十分存在するか否かを判断するための閾値であり、例えば２０％である。ここで、初期色相範囲Ｈに属する画素数の比率が第１の閾値Ｔｈ１を超えていれば（ステップＳ１５１；Ｙｅｓ）、特定部２２は、初期色相範囲Ｈを出力対象外の色相範囲とする（ステップＳ１５２）。これは例えば、隣接色相範囲ＨＬに属する画素数：初期色相範囲Ｈに属する画素数：隣接色相範囲ＨＲに属する画素数が、７％：８０％：１３％というような場合に該当する。つまり、ユーザがドロップアウトカラーとして実際に指定した色の画素が或る程度存在する場合である。
【００３５】
一方、初期色相範囲Ｈに属する画素数の比率が第１の閾値Ｔｈ１以下であれば（ステップＳ１５１；Ｎｏ）、特定部２２は、隣接色相範囲ＨＬに属する画素数の比率が第２の閾値Ｔｈ２を超えるか否かを判断する（ステップＳ１５３）。ここで、第２の閾値Ｔｈ２は、ユーザがドロップアウトカラーとして実際に指定した色の画素が十分に存在しなかった場合に、ユーザがドロップアウトカラーとして意図している可能性が高い色の候補を特定するための閾値である。第２の閾値Ｔｈ２は、第１の閾値Ｔｈ１よりも大きく、例えば３３．３％以上で５０％以下の値である。ここでは第２の閾値Ｔｈ２を４０％とする。
【００３６】
ここで、隣接色相範囲ＨＬに属する画素数の比率が第２の閾値Ｔｈ２を超えていれば（ステップＳ１５３；Ｙｅｓ）、特定部２２は、隣接色相範囲ＨＲに属する画素数の比率が第２の閾値Ｔｈ２を超えるか否かを判断する（ステップＳ１５４）。隣接色相範囲ＨＲに属する画素数の比率が第２の閾値Ｔｈ２以下であれば（ステップＳ１５４；Ｎｏ）、特定部２２は、初期色相範囲Ｈ及び隣接色相範囲ＨＬを出力対象外の色相範囲とする（ステップＳ１５５）。これは例えば、隣接色相範囲ＨＬに属する画素数：初期色相範囲Ｈに属する画素数：隣接色相範囲ＨＲに属する画素数が、８０％：１２％：８％というような場合に該当する。つまり、ユーザがドロップアウトカラーとして実際に指定した色の画素に対する隣接色相範囲ＨＬに属する色が、隣接色相範囲ＨＲに属する色と比べて多い場合である。
【００３７】
一方、隣接色相範囲ＨＲに属する画素数の比率が第２の閾値Ｔｈ２を超えていれば（ステップＳ１５４；Ｙｅｓ）、特定部２２は、通信部２０６を介してＰＣ１０にメッセージを送信する等して、ユーザに対してドロップアウトアウトカラーの再設定を促す（ステップＳ１５６）。これは例えば、隣接色相範囲ＨＬに属する画素数：初期色相範囲Ｈに属する画素数：隣接色相範囲ＨＲに属する画素数が、４２％：７％：４１％というような場合に該当する。つまり、ユーザがドロップアウトカラーとして実際に指定した色の画素が隣接色相範囲に属する色と比べて極めて少ない場合である。
【００３８】
また、ステップＳ１５３において、隣接色相範囲ＨＬに属する画素数の比率が第２の閾値Ｔｈ２以下であれば（ステップＳ１５３；Ｎｏ）、特定部２２は、隣接色相範囲ＨＲに属する画素数の比率が第２の閾値Ｔｈ２を超えるか否かを判断する（ステップＳ１５７）。隣接色相範囲ＨＲに属する画素数の比率が第２の閾値Ｔｈ２以下であれば（ステップＳ１５７；Ｎｏ）、特定部２２は、初期色相範囲Ｈを出力対象外の色相範囲とする（ステップＳ１５２）。これは例えば、隣接色相範囲ＨＬに属する画素数：初期色相範囲Ｈに属する画素数：隣接色相範囲ＨＲに属する画素数が、４０％：２０％：４０％というような場合に該当する。つまり、隣接色相範囲ＨＬ、初期色相範囲Ｈ及び隣接色相範囲ＨＲに属する色が比較的均等に近い場合である。
【００３９】
一方、隣接色相範囲ＨＲに属する画素数の比率が第２の閾値Ｔｈ２を超えていれば（ステップＳ１５７；Ｙｅｓ）、特定部２２は、初期色相範囲Ｈ及び隣接色相範囲ＨＲを出力対象外の色相範囲とする（ステップＳ１５８）。これは例えば、隣接色相範囲ＨＬに属する画素数：初期色相範囲Ｈに属する画素数：隣接色相範囲ＨＲに属する画素数が、８％：１２％：８０％というような場合に該当する。つまり、ユーザがドロップアウトカラーとして実際に指定した色の画素に対する隣接色相範囲ＨＲに属する色が、隣接色相範囲ＨＲに属する色と比べて多い場合である。
【００４０】
図４に戻り、生成部２３は、原稿画像データから特定部２２により特定された出力対象外の色を含まない出力画像データを生成する（ステップＳ１６）。
【００４１】
出力部２４は、生成された出力画像データを出力する（ステップＳ１７）。
【００４２】
以上の実施形態によれば、ユーザによって指定された色が、そのユーザが出力対象外として本来意図していた色と異なる場合であっても、ユーザが意図していた色を出力対象外とする。
【００４３】
＜変形例＞
以下の変形例は互いに組み合わせて実施してもよい。
初期色相範囲Ｈの広さに応じて隣接色相範囲ＨＬの広さ又は隣接色相範囲ＨＲの広さが異なっていてもよい。例えば一般に「青」と認識される範囲は広いから、図７（Ａ）に示すように、色相環Ｃにおいて初期色相範囲Ｈ１の広さ、隣接色相範囲ＨＬ１の広さ又は隣接色相範囲ＨＲ１の広さを比較的広くする。これに比べ、一般に「黄」と認識される範囲は狭いから、図７（Ｂ）に示すように、色相環Ｃにおいて初期色相範囲Ｈ２の広さ、隣接色相範囲ＨＬ２の広さ又は隣接色相範囲ＨＲ２の広さを比較的狭くする。つまり、特定部２２は、初期色相範囲Ｈの広さに応じて、隣接色相範囲ＨＬの広さ又は隣接色相範囲ＨＲの広さを定めるようにしてもよい。
【００４４】
ステップＳ１５４において、特定部２２は、隣接色相範囲ＨＲに属する画素数の比率が第２の閾値Ｔｈ２を超えていれば（ステップＳ１５４；Ｙｅｓ）、ユーザに対してドロップアウトアウトカラーの再設定を促していた。これに代えて、特定部２２は、隣接色相範囲ＨＲに属する画素数の比率が第２の閾値Ｔｈ２超であって、且つ、隣接色相範囲ＨＬに属する画素数と隣接色相範囲ＨＲに属する画素数との差が閾値以内であれば、ユーザに対してドロップアウトアウトカラーの再設定を促すようにしてもよい。つまり、隣接色相範囲ＨＬと隣接色相範囲ＨＲとのうちどちらが、ユーザがドロップアウトカラーとして意図していたかが判断しづらい場合である。
【００４５】
本発明は、コンピュータを画像処理装置又は画像読取装置として機能させるためのプログラムや、係るプログラムを記録した記録媒体の形態でも提供され得る。また、本発明に係るプログラムは、インターネット等のネットワークを介してコンピュータにダウンロードされてもよい。
また、本発明に係る画像処理装置はＰＣ２０に内蔵されたものであってもよい。
【符号の説明】
【００４６】
１・・・画像形成システム、２・・・ネットワーク、１０・・・ＰＣ、２０・・・プリンタ、２０１・・・制御部、２０２・・・記憶部、２０３・・・画像読取部、２０４・・・画像処理部、２０５・・・画像形成部、２０６・・・通信部、２０７・・・操作部、１１・・・受付部、２１・・・取得部、２２・・・特定部、２３・・・生成部、２４・・・出力部、Ｃ・・・色相環、Ｈ，Ｈ１，Ｈ２・・・初期色相範囲、ＨＬ，ＨＬ１，ＨＬ２，ＨＲ，ＨＲ１，ＨＲ２・・・隣接色相範囲。
【図１】
2020053735.tif 000003
【図２】
2020053735.tif 000004
【図３】
2020053735.tif 000005
【図４】
2020053735.tif 000006
【図５】
2020053735.tif 000007
【図６】
2020053735.tif 000008
【図７】
2020053735.tif 000009